【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
薬剤を投与するように構成された装置であって、前記装置は、
ハウジングラッチを含む下部ハウジングと、
前記下部ハウジングによって支持され、薬剤を保持するように構成された注射器であって、組織に挿入するように構成された針を有する、注射器と、
前記針の先端部を露出させるように第１の方向に沿って第１の位置から第２の位置まで前記下部ハウジングに対して移動可能な針ガードであって、前記第１の位置においては、前記針ガードは前記第１の方向とは反対の第２の方向において前記下部ハウジングから伸びており前記第２の方向において前記下部ハウジングから前記針が伸びたときに前記針の先端が覆われることとなり、前記第２の位置においては、前記針ガードは前記針の前記先端部に対して引っ込まれることとなる、針ガードと、
前記下部ハウジングに対して支持された上部ハウジングであって、人力を受け、前記人力に応答して前記第１の方向とは反対の第２の方向に沿って使用前位置から投与位置まで前記下部ハウジングに対して移動するように構成された、上部ハウジングと、
前記上部ハウジングに担持され、前記上部ハウジングが前記第２の方向に沿って移動される時に前記注射器に対して前進するように前記上部ハウジングとともに移動可能なプランジャロッドであって、前記注射器に対する前記プランジャロッドの前進により、前記注射器が前記針から前記薬剤を送達させる、プランジャロッドと、を含む装置であって、
前記針ガードが、前記ハウジングラッチを前記上部ハウジングと干渉した状態に保持するように前記針ガードが前記第１の位置にある時に、前記ハウジングラッチを当接する止め具を担持し、前記ハウジングラッチが、前記上部ハウジングが前記使用前位置にある時、前記上部ハウジングが前記投与位置に向かって移動しないように前記上部ハウジングと解放可能に干渉し、前記針ガードの前記第２の位置に向かう前記移動が、前記干渉を外し、それによって、前記上部ハウジングが前記使用前位置から前記投与位置に移動することを可能にする、装置。
【請求項２】
前記針ガードが前記第２の位置に向かって移動する時に、前記止め具が前記ハウジングラッチと非接触状態になり、その結果、前記ハウジングラッチが前記上部ハウジングとの干渉から外れることができる、請求項１に記載の装置。
【請求項３】
前記針ガードが、前記針が前記組織から取り外された時、前記針ガードを前記第２の方向に沿って前記針を越えて最終位置に向かって移動させるように構成された針ガード復帰部を含む、請求項２に記載の装置。
【請求項４】
前記針ガードが針ガードラッチを含み、前記針ガードラッチが、前記針ガードが前記最終位置に移動する時に、前記ハウジングラッチと嵌合するように構成されており、その結果、前記ハウジングラッチが前記針ガードを前記最終位置で係止する、請求項３に記載の装置。
【請求項５】
前記下部ハウジングと前記上部ハウジングとの間に連結された中部ハウジングを更に含み、前記中部ハウジングが、前記上部ハウジングが前記使用前位置にある時に前記上部ハウジングと前記下部ハウジングとの間で露出され、前記上部ハウジングが前記投与位置にある時に前記上部ハウジングによって実質的に完全に覆われる本体を含む、請求項１に記載の装置。
【請求項６】
前記中部ハウジング本体が、側壁と、前記側壁によって支持される少なくとも１つの摩擦部材と、を含み、前記上部ハウジングが、前記中部ハウジングの少なくとも１つの摩擦部材と干渉し、それによって、前記上部ハウジングが前記使用前位置から前記投与位置に向かって移動する時に摩擦力を生じる、前記少なくとも１つの摩擦部材を含む、請求項５に記載の装置。
【請求項７】
前記注射器が、底肩部と、前記底肩部から前記第１の方向に沿って離間している上部リムと、を含み、前記装置が、前記注射器を受容し、かつ前記底肩部で前記注射器を支持するように構成された、注射器リテーナを更に含む、請求項１に記載の装置。
【請求項８】
前記注射器リテーナが、本体と、前記本体から前記第２の方向に沿って延在する一対の弾性的に撓曲可能な脚と、を含み、前記弾性的に撓曲可能な脚が、前記弾性的に撓曲可能な脚間に隙間を画定するように前記第２の方向に対して直角を成す方向に沿って互いに離間している、請求項７に記載の装置。
【請求項９】
前記上部ハウジングが、少なくとも１つの係止ラッチを含み、前記下部ハウジングが、少なくとも１つの対応するラッチ部材を画定し、その結果、前記上部ハウジングが前記投与位置に移動する時、前記少なくとも１つの係止ラッチが前記少なくとも１つのラッチ部材上でスナップ嵌めし、それによって、前記上部ハウジングを前記投与位置に係止する、請求項１に記載の装置。
【請求項１０】
薬剤を投与するように構成された装置であって、
下部ハウジングと；
前記下部ハウジングによって支持され、薬剤を保持するように構成された注射器であって、組織に挿入するように構成された針を有する、注射器と、
前記下部ハウジングに取り付けられた中部ハウジングであって、本体と、前記本体によって担持される少なくとも１つの摩擦部材と、を含む、中部ハウジングと；
前記中部ハウジングに取り付けられ、人力に応答して、前記中部ハウジングの前記本体に沿って使用前位置から投与位置に移動するように構成された上部ハウジングであって、前記中部ハウジングの前記少なくとも１つの摩擦部材と干渉し、それによって、前記上部ハウジングが前記使用前位置から前記投与位置に移動される時に、前記人力に対する抵抗力を生じる、少なくとも１つの摩擦部材を含む、上部ハウジングと；
前記上部ハウジングによって担持され、前記上部ハウジングが前記投与位置に向かって移動される時に、前記注射器に対して前進するように前記上部ハウジングとともに移動可能なプランジャロッドと、を含み、
前記プランジャロッドが前記注射器に対して前進することによって、前記注射器が前記薬剤を前記針から送達する、装置。
【請求項１１】
前記中部ハウジング本体が、側壁と、前記側壁によって支持される少なくとも１つの摩擦部材と、を含み、前記上部ハウジングが、前記中部ハウジングの少なくとも１つの摩擦部材と干渉し、それによって、前記上部ハウジングが前記使用前位置から前記投与位置に向かって移動する時に摩擦力を生じる、前記少なくとも１つの摩擦部材を含む、請求項１０に記載の装置。
【請求項１２】
前記中部ハウジングの各摩擦部材が、それぞれのヒンジで前記側壁に連結された片持ち部であって、前記上部ハウジングが前記投与位置に向かって移動する時に、各片持ち部が、前記中部ハウジングの中心軸に対して前記それぞれのヒンジ周りに屈曲するように構成されている、請求項１１に記載の装置。
【請求項１３】
前記上部ハウジングの各摩擦部材が、対応する前記片持ち部の１つに沿って進むように構成されたレールである、請求項１２に記載の装置。
【請求項１４】
前記上部ハウジングが、遠位端と、前記遠位端から前記第１の方向に沿って離間している近位端と、を画定するスカートを含み、前記レールが前記近位端に向かって延在するに伴い前記レールが先細になるように、各レールが、前記スカートの前記遠位端に近接した位置から前記スカートの前記近位端に向かって延在する、請求項１３に記載の装置。
【請求項１５】
前記中部ハウジングが、第１の対の片持ち部と第２の対の片持ち部とを含み、前記第１の対の片持ち部及び前記第２の対の片持ち部のそれぞれが、対応するヒンジから時計方向に延在する第１の片持ち部と、対応するヒンジから反時計方向に前記第１の片持ち部から離れて延在する第２の片持ち部と、を含む、請求項１２に記載の装置。
【請求項１６】
各片持ち部がエラストマー部を含み、前記上部ハウジングの前記摩擦部材が、前記エラストマー部に沿って進むように構成されている、請求項１５に記載の装置。
【請求項１７】
各片持ち部が前記本体と一体的に形成されている、請求項１２に記載の装置。
【請求項１８】
前記針を露出するように、前記下部ハウジングに対して第１の位置から第２の位置に移動可能な針ガードを更に含む、請求項１１に記載の装置。